(57)【特許請求の範囲】
【請求項１】
人が内部で作業をすることができる内径を有し、少なくとも一方端が開放されてなる配管の、当該開放端からの浸水を阻止するための配管用堰装置であって、
前記配管の側面に形成されかつ対向して形成された少なくとも一対の管壁開口部と、
前記各対をなす管壁開口部の前記配管の外側に突出形成され、突出端が開口または閉塞してなるロッド支持管と、
前記各対をなす２つのロッド支持管の間に設けられ、両端がそれぞれ当該ロッド支持管に挿着されたロッドと、
前記ロッドに、少なくとも下縁部ないし側縁部が前記配管の内面との間に隙間が生じないように取り付けられた板材と、
を備えてなることを特徴とする配管用堰装置。
【請求項２】
前記ロッド支持管の突出端が開口してなる前記ロッド支持管を用いた配管用堰装置であって、当該ロッド支持管に挿着される前記ロッドの端、および当該ロッド支持管の開口した突出端に、それぞれフランジが形成され、これらフランジはボルトにより締結されたことを特徴とする請求項１に記載の配管用堰装置。
【請求項３】
前記各ロッドが、複数のロッド要素を連結することにより構成されたこと特徴とする請求項１または２に記載の配管用堰装置。
【請求項４】
前記保守および／または点検が行われないときには、前記各ロッド支持管には、閉塞部材が取り付けられることを特徴とする請求項１から３の何れか１つに記載の配管用堰装置。
【発明の詳細な説明】
【０００１】
【発明の属する技術分野】
本発明は、人が内部で作業をすることができる内径を有し開放端からの浸水を阻止するための配管用堰装置に関する。
【０００２】
【従来の技術】
大口径の取水管・排水管等の配管には、水平管路と、下方に向けて屈曲した立下り管路を有し、当該立下り管路の先端が海洋、河川等の水面下において常時開放され、水平管路の立下り管路とは反対側の端（または、水平管路の途中）にフィルタや放水・取水装置等の機器（以下、「配管内機器」と言う）が設けられているものがある。
【０００３】
この種の配管では、適時に配管内の水を除去し、作業員が配管内部に入って、配管内面や、配管内機器の保守・点検を行う。ところが、この保守・点検の最中に、水面が潮汐、降雨等より上昇し、立下り管路の先端の開放口（以下、「開放口」と言う）から管内に水が浸入してしまうことがある。
【０００４】
保守・点検時における、配管内への水の浸入を防止するために、たとえば、立下り管路や、水平管路の開放口側（立下り管路側）に弁を設置することもできる。しかし、実際上は、弁を設置するための空間が配管内に確保できない場合も多いし、弁を設置することにより、配管中を流れる水に乱れが生じ、これが配管内機器、配管内面等に悪影響を与えることがある。
【０００５】
このため、現実的な対処手段として、水平管路の開放口側に土嚢を積み上げ、開放口側からの水の浸入を堰き止めることが行われる。図１０は、海洋ＯＣに面して建造された取水または放水設備（以下、説明の便宜上「取放水設備」と言う）２００を示しており、取放水設備２００は間仕切壁８１１，８１２、波浪防止壁８２、天井部８３、床部８４を有してなる構造物と、この構造物内に設置された配管５、配管内機器６および主装置７とから構成されている。
【０００６】
図中、間仕切壁８１１，８１２、天井部８３および床部８４により形成される空間Ｓは作業空間として確保されており、作業員Ｍは、空間Ｓにおいて配管５の外面状態の保守・点検、配管内機器６の保守・点検のための準備作業（たとえば、後述する土嚢の搬入）等を行うことができる。
【０００７】
また、配管５は、海洋ＯＣ側において下方に向けて屈曲した立下り管路５１と、一方端が立下り管路５１と連続し、他方端に配管内機器６が設けられた水平管路５２と、配管内機器６と主装置７との間に設けられた機器／主装置間管路５３とを有している。立下り管路５１の長さは、開放口５０が、海洋ＯＣの干潮時にも水面下に位置するように設定されている。また、水平管路５２の上部には、マンホールＨが設けられている。
【０００８】
図１０では、作業員Ｍによる配管内機器６等の保守・点検の作業中に、海洋ＯＣの水面が、水平管路５２の高さまで上昇したために、土嚢Ｅが水平管路５２の立下り管路５１側に、多数積まれて様子が示されている。
【０００９】
取放水設備２００の稼動中（取水または放水が行われているとき）は、配管５は水で満たされている。配管内機器６等の保守・点検に際しては、配管５内の水は除去される。そして、作業員ＭがマンホールＨから水平管路５２の内部に入り、保守・点検作業を行う。保守・点検作業中に潮汐等により海洋ＯＣの海水面が上昇するような場合には、マンホールＨから土嚢Ｅを水平管路５２の内部に搬入して、立下り管路５１側に積み上げ、海洋ＯＣからの水の浸入を防ぐ。そして、配管内機器６等の保守・点検作業が終了した後、適時に（たとえば、干潮時に）にマンホールＨから土嚢Ｅを搬出し、取放水設備２００の稼動を再開する。
【００１０】
【発明が解決しようとする課題】
図１０に示した取放水設備２００では、作業員Ｍが、水平管路５２内に入って保守・点検作業をする場合、足場が曲面でありかつ濡れていることから転倒の危険がある。しかも、土嚢Ｅは、水平管路５２の立下り管路５１側に積み上げられるため、水平管路５２が短い場合には、立下り管路５１への転落の危険がある。しかも、土嚢Ｅの積み上げ作業、撤去作業には、細心の注意を払う必要があるため、土嚢Ｅの搬入・搬出作業、保守・点検等の作業効率が低下する。
【００１１】
上記の転倒や転落を防止するために、手摺や作業用足場を水平管路５２内の適宜個所に設けることも考えられる。しかし、手摺等を水平管路５２内に設けると、配管５内に弁を設けるとした場合と同様、配管５内に生じる乱流が配管内機器６、配管５内面等に悪影響を与えることがある。
【００１２】
本発明の目的は、人が内部で作業をすることができる内径を有し、少なくとも一方端が開放されてなる配管内で堰の設置作業、当該設置した堰の配管内から撤去作業を安全かつ速やかに行うことができる配管用堰装置を提供することである。
【００１３】
【課題を解決するための手段】
本発明の配管用堰装置は、人が内部で作業をすることができる内径を有し、少なくとも一方端が開放されてなる配管の、当該開放端からの浸水を阻止するためのものであって、前記配管の側面に形成されかつ対向して形成された少なくとも一対の管壁開口部と、前記各対をなす管壁開口部の前記配管の外側に、中心軸が一致するように対をなして突出形成される、突出端が開口または閉塞してなるロッド支持管と、前記各対をなす２つのロッド支持管の間に設けられ、両端がそれぞれ当該ロッド支持管に挿着されたロッドと、前記ロッドに、少なくとも下縁部ないし側縁部が前記配管の内面との間に隙間が生じないように取り付けられた板材とを備えてなることを特徴とする。
【００１４】
本発明においては、対をなすロッド支持管を、突出端が開口するように構成することができるし、突出端が閉塞するように構成することもできる。対をなすロッド支持管の各突出端が開口している場合には、ロッド支持管へのロッドの挿着作業を、配管の外部側から行うことができる。また、対をなすロッド支持管の一方の突出端が開口し、他方の突出端が閉塞するように構成することもできる。この場合にも、ロッド支持管へのロッドの挿着作業を、配管の外部側から（突出端が開口しているロッド支持管側から）行うことができる。
【００１５】
突出端が開口してなるロッド支持管にロッドを挿着する場合には、ロッドの端、およびロッド支持管の開口した突出端に、それぞれフランジを形成し、これらフランジをボルトにより締結することができる。また、ロッドは、複数のロッド要素の連結により構成することができる。保守および／または点検が行われないときには、前記各ロッド支持管には、突出端側からまたは配管の内部側から閉塞部材を取り付けることができる。
【００１６】
【発明の実施の形態】
以下、図１〜図９により、本発明の一実施形態を説明する。図１は本発明の配管用堰装置が適用される設備（取放水設備）を示す図である。なお、図１に示した構成要素のうち、図１０に示した構成要素の符号と同一符号の構成要素は、図１０の構成要素と同じである。
【００１７】
図１において、取放水設備１００は、海洋ＯＣに面して建造されている。この取放水設備１００は、間仕切壁８１１，８１２、波浪防止壁８２、天井部８３および床部８４を有してなる構造物と、この構造物内に設置された配管２、配管内機器３および主装置４とを含んで構成されている。
【００１８】
図中、間仕切壁８１１，８１２、天井部８３および床部８４により形成される空間Ｓは作業空間として確保されており、作業員Ｍは配管２の外面状態の保守・点検、配管内機器３の保守・点検のための準備作業等を行うことができる。
【００１９】
配管２は、作業員Ｍが立って作業することができる内径を有し、海洋ＯＣ側において下方に向けて屈曲した立下り管路２１と、一方端が立下り管路２１と連続し、他方端に配管内機器３が設けられた水平管路２２と、配管内機器３と主装置４との間に設けられた機器／主装置間管路２３とを有している。
立下り管路２１の長さは、開放口２０が、常時（干潮時においても）、海洋ＯＣの水面下に位置するように設定されている。また、水平管路２２の上部には、マンホールＨが設けられている。なお、配管２の内面には、海水による腐食や異物による損傷を防ぐためのライニングが施されている。
【００２０】
図１では、作業員Ｍによる配管内機器３等の保守・点検作業中に、海洋ＯＣの水面が水平管路２２の高さまで上昇し、図２に示す配管用堰装置１Ａにより、浸水をせき止めている様子が示されている。
【００２１】
図２は、図１の矢視Ａ−Ａから見た配管用堰装置１Ａの正面図である。図２において、配管用堰装置１Ａは、２対のロッド支持管１１１１，１１１２、１１２１，１１２２と、これらに挿着固定されたロッド１２１，１２２と、ロッドロッド１２１，１２２に取り付けられた板材１３とを含んで構成されている。
配管２には、管壁開口部Ｑ１１，Ｑ１２、Ｑ２１，Ｑ２２が形成されている。管壁開口部Ｑ１１，Ｑ１２には、ロッド支持管１１１１，１１１２が中心軸が一致するようにそれぞれ配管２の水平管路２２の外面に形成されている。管壁開口部Ｑ２１，Ｑ２２にも、ロッド支持管１１２１，１１２２が、同様に形成されている。
【００２２】
ロッド１２１，１２２は、ロッド支持管１１１１，１１１２の間、１１２１，１１２２の間に設けられ、両端がそれぞれ当該ロッド支持管に挿着固定されている。
板材１３は、１１枚の縦板要素１３Ａ〜１３Ｋが横方向に連結されて１枚に構成されており、下縁部，側縁部の輪郭は配管２の内面輪郭と同一となるように構成されている。また、各縦板要素１３Ａ〜１３Ｋ同士は、ロッド１２１，１２２にＵ字ボルトＵＢにより取り付けられている。
【００２３】
図２には示されていないが、板材１３の下縁ないし側縁には、配管２の内面との間に隙間が生じないように、表面保護部材１４と漏洩防止材１５とが設けられている。表面保護部材１４および漏洩防止材１５については、図６において説明する。
また、図２には示されていないが、本実施形態では、ロッド支持管１１１１，１１１２および１１２１，１１２２にはそれぞれロッドガイド管が内挿されている。ロッドガイド管については、図３（Ｂ）において説明する。
【００２４】
以下、配管用堰装置１Ａの各構成要素を詳細に説明する。図３（Ａ）は、図２に示したロッド支持管１１１１を拡大して示す図である。ロッド支持管１１１２はロッド支持管１１１１と左右対照に構成され、ロッド支持管１１２１，１１２２はロッド支持管１１１１，１１１２と管の長さが異なるだけである。
【００２５】
ロッド支持管１１１１の突出端にはフランジＦａが形成されており、このフランジＦａには、複数（図３（Ａ）では１つのみが示されている）のボルト孔Ｈａが形成されている。また、フランジＦａには、次に述べるロッドガイド管１６１１との締結をなすための複数（図３（Ａ）では１つのみが示されている）の非連通ボルト穴Ｈａ′が形成されている。
【００２６】
図３（Ｂ）は、前述したロッドガイド管１６１１を、ロッド支持管１１１１に内挿した様子を拡大して示す図である。ロッド支持管１１１２，１１２１，１１２２に内挿されるロッドガイド管の構成は、実質上、ロッドガイド管１６１１と同じである。
ロッドガイド管１６１１は、外径がロッド支持管１１１１の内径よりやや小さく、内径がロッド１２１の外径よりやや大きく構成されている。ロッドガイド管１６１１の、一端側にはフランジＦｂが形成されており、このフランジＦｂには、ロッド支持管１１１１のフランジＦａに形成された各ボルト孔Ｈａに対応するようにそれぞれボルト孔Ｈｂが形成され、各非連通ボルト穴Ｈａ′に対応するようにそれぞれボルト孔Ｈｂ′が形成されている。ボルト孔Ｈｂ′には、ボルトの頭を埋め込まれる溝が形成されているので、フランジＦｂと、次に述べるロッドに取り付けたフランジＦｃ１とを締結したときに、フランジＦｂとフランジＦｃ１との間に空隙が生じることはない。ロッド支持管１１１１に、ロッドガイド管１６１１を内挿ことなくロッド１２１を挿着した場合には、ロッド支持管を傷付けてしまうことがあるが、ロッドガイド管１６１１を用いる場合にはこのような不都合は生じない。
【００２７】
図３（Ｃ）はロッド１２１およびロッドに取り付けられるフランジＦｃ１，Ｆｃ２を示す図である。ロッド１２２の構成は、ロッド１２１と長さが異なるだけであり実質上同じである。ロッド１２１の一端にはネジ溝が構成されている軸状突起が設けられており、この突起はネジ穴を有するフランジＦｃ１に螺合することができる。また、ロッド１２１の他端には軸状突起が形成されており、この軸状突起は、突起受けを有するフランジＦｃ２に取り付けることができる。また、フランジＦｃ１，Ｆｃ２には、ロッド支持管１１１１，１１１２（あるいは、ロッド支持管１１２１，１１２２）の各フランジＦａに形成された各ボルト孔Ｈａに対応するように、それぞれボルト孔Ｈｃが形成されている。なお、ロッド１２１は、板材１３が固定された状態で、配管２に浸入する水の力により湾曲もしくは破壊されない構造のものであれば、中実であってよいし中空であってもよい。
【００２８】
図４に、ロッド支持管１１１１のフランジＦａに、ロッドガイド管１６１１がボルトＢ′により取り付けられ、さらにロッド支持管１１１１のフランジＦａと、ロッドガイド管１６１１のフランジＦｂと、ロッド１２１のフランジＦｃ１とがボルトＢおよびナットＮにより一体に締結されている状態を示す。また、同様に、ロッド支持管１１１２のフランジＦａに、ロッドガイド管１６１２がボルトＢ′により取り付けられ、ロッド支持管１１１２のフランジＦａと、ロッドガイド管１６１２のフランジＦｂと、ロッド１２２のフランジＦｃ２とがボルトＢおよびナットＮにより一体に締結されている状態を示す。
【００２９】
図５（Ａ）は、板材１３を構成する縦板要素を示す図である。図２に示したように、板材１３は全部で１１枚の縦板要素１３Ａ〜１３Ｋからなるがここでは、縦板要素１３Ｆを示す。縦板要素１３Ｆには、側部に隣接する縦板要素と連結するための折曲げ片Ｃが形成されている。隣接する縦板要素同士は折曲げ片Ｃ部においてボルト，ナットにより連結される。板材１３は、マンホールＨから、配管２の水平管路２２内部に搬入できる幅を有していれば、少ない枚数（たとえば、５枚あるいは６枚）により構成することもできる。
【００３０】
図２に示した縦板要素１３Ｂ〜１３Ｊは、板材１３における配置に応じて、下辺が配管２の円孤形状と同一の輪郭に形成されることはもちろんであり、また縦板要素１３Ａおよび１３Ｋの各３辺のうち、配管２に接する側は配管２の円孤形状と同一の輪郭に形成されることももちろんである。
【００３１】
図５（Ａ）に示されるように、縦板要素１３Ｆ（１３Ａ〜１３Ｅ，１３Ｇ〜１３Ｋについても同様）には、ロッド１２１をＵ字ボルトにより固定するための孔ＵＨが所定位置に設けられている。縦板要素１３Ａ〜１３Ｋの側部に形成された折曲げ片Ｃの下端は、配管２の表面を傷付けないように（ライニングを削り取ったり、配管２自体に傷を付けないように）、かつ後述する漏洩防止部材１５を取り付けるときの障害とならないように、下端角部（αで示す）が除去されている。
【００３２】
図６（Ａ）は縦板要素１３Ｆ部分の垂直断面説明図（図５（Ａ）の矢視Ｐ−Ｐから見た図）である。図６（Ａ）では、縦板要素１３ＦがＵ字ボルトＵＢとナットＮによりロッド１２１に取り付けられた状態を示すとともに、表面保護部材（本発明のシート状部材）１４および漏洩防止材（本発明のプレート状柔軟部材）１５が、縦板要素１３Ｆの下端に設けられた状態を示している。縦板要素１３Ｆは、図には表われていない縦板要素１３Ｇと、ボルトＢｄ、ナットＮｄにより連結されている。
表面保護部材１４は、本実施形態では、縦板要素１３Ａ〜１３Ｋをロッド１２１，１２２に取り付ける作業過程等において、配管２の表面を傷付けないようにするために使用されるもので、板材１３の下端のみならず配管２の軸方向に幅広く敷設されている。漏洩防止材１５を使用しない場合には、表面保護部材１４は、縦板要素１３Ａ〜１３Ｋがロッド１２１，１２２に取り付けられた際に、漏洩防止機能材として機能することもできる。
【００３３】
図６（Ｂ）に斜視図で示すように、漏洩防止材１５は横断面が略扁平Ｌ字形状をなし、Ｌ字の水平部が先端肉薄のテーパー部１５１を構成し、Ｌ字の垂直部がストッパ部１５２を構成している。すなわち、テーパー部１５１は、配管２と接触する面が平坦で板材１３下端と接触する面が肉薄に形成されている。なお、表面保護部材１４および漏洩防止材１５は、ゴム等の柔軟性を持ち、かつ海水に対する耐性を持つ材料により構成することが好ましい。
【００３４】
上述した配管用堰装置１Ａが配管２内に設置されていないときには、ロッド支持管１１１１，１１１２，１１２１，１１２２の開口を、図７に示すような閉塞部材により閉塞することができる。この閉塞部材（図７では、ロッド支持管１１１１に挿着される閉塞部材１７１２のみを示す）は、図７に示すように、先端が配管２の内曲面に一致する形状の端面を持つフランジ付きの短管であってもよいし、単に、ロッド支持管１１１１に蓋をする円板状のものであってもよい。
【００３５】
以下、配管用堰装置１Ａの設置工程および撤去工程を説明する。
（１）配管２の内部より水を排出する。
（２）ロッド支持管１１１１，１１１２，１１２１，１１２２に取り付けられた閉塞部材（図７参照）を取り外す。
（３）ロッド支持管１１１１，１１１２，１１２１，１１２２に、ロッドガイド管１６１１，１６１２，１６２１，１６２２を内挿し、各ロッドガイド管のフランジＦｂを、各ロッド支持管のフランジＦａにボルトＢ′により取り付ける（図３（Ａ），（Ｂ）参照）。
（４）フランジＦｃ１が取り付けられたロッド１２１（図３（Ｃ）参照）を、ロッド支持管１１１１側からロッド支持管１１１２側に挿通し、同じくフランジＦｃ１が取り付けられたロッド１２２を、ロッド支持管１１２１側からロッド支持管１１２２側に挿通する。そして、ロッド支持管１１１２側，１１２２側にて、ロッド１２１，１２２に、フランジＦｃ２を取り付ける。
（５）フランジＦａ，Ｆｂ，Ｆｃ１、フランジＦａ，Ｆｂ，Ｆｃ２をボルトＢにより一体に締結する（図４参照）。
【００３６】
（１）〜（４）の作業は、配管２の外部での作業であり、また（５）の作業も、管内に作業員を配備していなくても可能である。
（６）図１，図２に示したマンホールＨから、配管２内に、縦板要素１３Ａ〜１３Ｋ、表面保護部材１４、漏洩防止材１５、その他、Ｕ字ボルト、ボルト、ナット等を搬入する。
この時点で配管２内で、ロッド１２１がロッド支持管１１１１，１１１２間に、ロッド１２２がロッド支持管１１２１，１１２２間に渡されており、配管２内の作業員は、各ロッド１２１，１２２を手摺としても使用できる。しがたって、図１０で説明した土嚢を配管内に積み上げる場合に比べて、作業の安全性は極めて高い。
【００３７】
（７）配管２内のロッド１２１，１２２が渡された部分に表面保護部材１４，漏洩防止材１５を設置し、縦板要素１３Ａ〜１３Ｋをロッド１２１，１２２にＵ字ボルト，ナットにより固定するとともに、隣接するべき縦板要素（１３Ａ〜１３Ｋ）の同士をボルト，ナットにより連結する（図６（Ａ）参照）。
【００３８】
以上にて配管用堰装置１Ａの設置は完了し、配管内機器３等の保守・点検作業が終了した後に、たとえば上述した（１）〜（７）の順序とは逆の順序で配管用堰装置１Ａを撤去する。
【００３９】
上記の実施形態では、ロッド１２１，１２２として非連結の「１本もの」を使用したが、図１の空間Ｓの条件（配管２を中心軸方向から見たときの空間Ｓの幅等）によっては、ロッド１２１，１２２をロッド支持管（１１１１，１１１２、１１２１，１１２２）に挿着することができない場合がある。このような場合には。ロッド１２１，１２２の双方、または一方（通常、上側のロッド１２１）を２本のロッド要素の連結により構成することができる。
【００４０】
図８は、ロッド１２１を２つのロッド要素１２１１，１２１２を連結して構成する場合の説明図である。ロッド要素１２１１，１２１２は、連結部材１２０により連結される。連結部材１２０の詳細は図示しないが、クランプ継手等の周知の連結手段を用いることができる。
図８のロッド１２１を用いた場合には、ロッド要素１２１１，１２１２の連結は、通常は、水平管路２２内に作業員が入って行う必要がある。また、図８のロッド１２１で、各ロッド要素１２１１，１２１２の一方端に設けられるはフランジＦｃは、溶接により取り付けることができる。
【００４１】
ロッド１２１，１２２がロッド要素の連結により構成されている場合、連結部材１２０が、板材１３のロッド１２１，１２２への取付けの妨げとなることがある。すなわち、連結部材１２０の外径はロッド１２１，１２２の外径より大きくなるために、板材１３がロッド１２１，１２２から離れた状態で、Ｕ字ボルトＵＢにより取り付けられてしまう。このような場合には、図５（Ｂ）に示すように中央の縦板要素（符号１３Ｆ′で示す）に、連結部材吸収溝Ｇを形成しておくことにより、連結部材１２０の影響が生じないようできる。
【００４２】
図９は、突出端が閉塞しているロッド支持管を用いた、本発明の配管用堰装置の他の実施形態を示す図である。本実施形態においても、配管用堰装置１Ｂは上述した実施形態と同様、２対の管壁開口部と、これら管壁開口部に対応する２対のロッド支持管と、それぞれのロッド支持管に内挿されるロッドガイド管と、ロッド支持管にロッドガイド管を介して内挿される２本のロッドと、これらロッドに取り付けられる板材とからなる。図９では、管壁開口部は1対（Ｑ１１，Ｑ１２）のみが示されており、当該管壁開口部の配管外側に突出形成されたロッド支持管も1対（１１３１，１１３２）のみが示されている。これらのロッド支持は、突出端が閉塞され、カップ状をなしている。２対のロッド支持管には、それぞれロッドガイド管が内挿されるが、図９ではロッド支持管１１３１，１１３２に対応するロッドガイド管１６３１，１６３２のみが示されている。
【００４３】
２対のロッド支持管には、２本のロッド１２３が内挿されるが、図９では一方のロッド１２３のみが示されている。本実施形態で使用されるロッドは、複数のロッド要素（図９では、符号１２３１，１２３２で示す）の連結により構成されており、ロッド要素１２３１，１２３２は、図８において使用した連結部材１２０により連結されている。各ロッド要素のロッド支持管側の端にはネジ切り等の加工はなされてはいない。
本実施形態では、ロッド１２３および図示されていないロッドに板材１３が取り付けられる。板材１３の中央の板材要素１３Ｆ′には図５（Ｂ）に示した連結部材吸収溝Ｇを持つものが用いられている。
本実施形態においても、配管用堰装置１Ｂが配管２内に設置されていないときには、ロッド支持管１１３１，１１３２等の開口は、閉塞部材により閉塞することができる。この閉塞部材は、図示はしないが、配管２の内曲面に一致する形状の端面を持つ短管を使用することができる。なお、図示はしないが、本実施形態でも、表面保護部材、漏洩防止材を設けることができる。
【００４４】
以下、配管用堰装置１Ｂの設置工程および撤去工程を説明する。
（１）配管２の内部より水を排出する。
（２）この後、配管２内に、縦板要素１３Ａ〜Ｅ，１３Ｆ′，１３Ｇ〜１３Ｋ、表面保護部材、漏洩防止材、その他、Ｕ字ボルト、ボルト、ナット等を搬入する。
（３）閉塞部材を取り外す。
（４）ロッド支持管１１３１，１１３２等に、ロッドガイド管１６１１，１６１２等を内挿する。
（５）配管２の内部側において、ロッド支持管１１３１にロッド要素１２３１を、ロッド支持管１１３２にロッド要素１２３２をそれぞれ挿入し、両ロッド要素を連結部材１２０により連結する。
この時点で配管２内で、２本のロッドがロッド支持管の間に渡されており、配管２内の作業員は、各ロッドを手摺としても使用できる。しがたって、本実施形態においても、作業の安全性は極めて高い。
【００４５】
（６）配管２内のロッド１２３および図示しないもう一本のロッドが渡された部分に表面保護部材，漏洩防止材を設置し、縦板要素縦板要素１３Ａ〜Ｅ，１３Ｆ′，１３Ｇ〜１３Ｋを２本のロッドにＵ字ボルト，ナットにより固定するとともに、隣接するべき縦板要素の同士をボルト，ナットにより連結する。
【００４６】
以上にて配管用堰装置１Ｂの設置は完了し、配管内機器３等（図１参照）の保守・点検作業が終了した後に、たとえば上述した（１）〜（６）の順序とは逆の順序で配管用堰装置１Ｂを撤去する。
【００４７】
上記の各実施形態では、板材１３がロッドに対して管内機器側に位置するように配管用堰装置１Ａ，１Ｂを構成したが、板材１３がロッドに対して海洋ＯＣ側に位置するように管内堰装置を構成することもできる。
【００４８】
以上の実施形態をまとめると、内部で作業をすることができる内径を有し、少なくとも一方端が開放されてなる配管の、当該開放端からの浸水を阻止するためのものであって、前記配管の側面に形成されかつ対向して形成された少なくとも一対の管壁開口部と、前記各対をなす管壁開口部の前記配管の外側に突出形成される、突出端が開口または閉塞してなるロッド支持管と、前記各対をなす２つのロッド支持管の間に設けられ、両端がそれぞれ当該ロッド支持管に挿着されたロッドと、前記ロッドに、少なくとも下縁部ないし側縁部が前記配管の内面との間に隙間が生じないように取り付けられた板材とを備えてなることを特徴とする。
【００４９】
対をなすロッド支持管を、突出端が開口するように構成することができるし、突出端が閉塞するように構成することもできる。対をなすロッド支持管の各突出端が開口している場合には、ロッド支持管へのロッドの挿着作業を、配管の外部側から行うことができる。また、対をなすロッド支持管の一方の突出端が開口し、他方の突出端が閉塞するように構成することもできる。この場合にも、ロッド支持管へのロッドの挿着作業を、配管の外部側から（突出端が開口しているロッド支持管側から）行うことができる。
【００５０】
突出端が開口してなるロッド支持管にロッドを挿着する場合には、ロッドの端、およびロッド支持管の開口した突出端に、それぞれフランジを形成し、これらフランジをボルトにより締結することができる。
ロッドは、複数のロッド要素の連結により構成することができる。対をなすロッド支持管の各突出端がともに閉塞している場合には、前記ロッドは複数のロッド要素の連結により構成される。
対をなすロッド支持管の各突出端が開口している場合、あるいは支持管の一方の突出端が開口し他方の突出端が閉塞している場合には、ロッドとして「一本もの」（ロッド要素の連結によらないロッド）を用いることができる。
なお、ロッド支持管に挿着されたロッドは、前記板材の前記ロッドへの取付け・取外し等に際し、手摺として使用することができる。
【００５１】
ロッドに取り付けられる板材は、複数の縦板要素から構成することができる。これらの縦板要素は、前記配管内への搬入、前記配管外への搬出が可能な大きさとされる。
板材の下縁ないし側縁と前記配管の内面との間に、シート状部材やプレート状柔軟部材を設けることができる。これらシート状部材やプレート状柔軟部材により、上記板材による配管内面を保護することができる。シート状部材やプレート状柔軟部材を、漏洩防止材（パッキン）として使用することもできる。プレート状柔軟部材を漏洩防止材して使用することきは、前記板材と当接する部分を当接しない部分よりも薄く形成する（すなわち、楔状にテーパを持たせて形成する）ことができる。
【００５２】
前記各ロッド支持管には、両端開口のロッドガイド管を内挿することができる。ロッド支持管の内面には、腐食防止等のライニングが施すことができるが、ロッドガイド管を挿着することなくロッドを挿入した場合には、このラインニングが剥がされる等、ロッド支持管の内面が傷付けられることがある。ロッドガイド管をロッド支持管に内挿し、これにロッドを挿着した場合にはこの不都合は生じない。
【００５３】
本発明の実施形態の配管用堰装置は、装置全体の重量が土嚢と比較して軽量であるので堰の設置・撤去が容易となる。しかも、ロッドを複数のロッド要素により構成し、あるいは板材を複数の縦板要素により構成することで、配管用堰装置の撤去時に所定保管場所にコンパクに収容することができる。
【００５４】
本発明の実施形態の配管用堰装置は、前記配管の開放端と、前記配管に設けられた当該配管内部側からの保守および／または点検が行われる機器との間に設けることができる。この場合、前記配管の開放端と前記機器との間の配管路に管壁開口部が形成される。保守および／または点検が行われないときには、前記各ロッド支持管には、突出端側からまたは配管の内部側から閉塞部材を取り付けることができる。この閉塞部材は、ロッド支持管の先端に装着される（具体的にはロッド支持部材のフランジにボルト等により取り付けられる）板状の蓋であってもよい。また、閉塞部材を、フランジと、当該フランジを持つ面に取り付けられた突起部（ロッド支持管の内部形状とほぼ同様形状をなす）とから構成することもできる。
【００５５】
【発明の効果】
人が内部で作業をすることができる内径を有し、少なくとも一方端が開放されてなる配管内での堰の設置、設置した当該堰の配管内から撤去を、速やかかつ安全に行うことができる。
また、保守および／または点検が行われる機器の、配管内部での保守・点検に際して、堰を安全に設置できるので、保守・点検の作業効率が向上する。
【図面の簡単な説明】
【図１】本発明の一実施形態を示す配管用堰装置が適用される設備全体を示す図である。
【図２】図１の矢視Ａ−Ａのから見た配管用堰装置の正面図である。
【図３】（Ａ）は図２に示すロッド支持管を拡大して示す図、（Ｂ）はロッドガイド管を、ロッド支持管に挿入した様子を拡大して示す図、（Ｃ）はロッドを示す図である。
【図４】ロッド支持管のフランジに、ロッドガイド管がボルトにより取り付けられ、ロッド支持管のフランジと、ロッドガイド管のフランジと、ロッドのフランジとがボルト，ナットにより一体に締結されている状態を示す図である。
【図５】（Ａ）は板材を構成する縦板要素を示す図、（Ｂ）は連結部材吸収溝を設けた縦板要素を示す図である。
【図６】（Ａ）は縦板要素部分の垂直断面図説明図であり、（Ｂ）は漏洩防止材を示す図である。
【図７】取放水設備の非稼動時に設備ロッド支持管の開口を塞ぐための閉塞を示す図である。
【図８】本発明の配管用堰装置に使用するロッドを連結構成した場合の説明図である。
【図９】突出端が閉塞してなるロッド支持部材を用いた本発明の他の実施形態を示す説明図である。
【図１０】配管内に浸入する水を堰き止める従来技術を示す説明図である。
【符号の説明】
１Ａ，１Ｂ  配管用堰装置
２  配管
３  配管内機器
４  主装置
１３  板材
１３Ａ〜１３Ｋ，１３Ｆ′  縦板要素
１４  表面保護部材
１５  漏洩防止材
２０  開放口
２１  立下り管路
２２  水平管路
２３  機器／主装置間管路
８２  波浪防止壁
８３  天井部
８４  床部
１００  取放水設備
１２０  連結部材
１２１，１２２，１２３  ロッド
１５１  テーパ部
１５２  ストッパ部
８１１，８１２  間仕切壁
１１１１，１１１２，１１２１，１１２２，１１３１，１１３２  ロッド支持管
１２１１，１２１２，１２３１，１２３２  ロッド要素
１６１１，１６１２，１６２１，１６２２，１６３１，１６３２  ロッドガイド管
Ｂ，Ｂ′  ボルト
Ｃ  折曲げ片
Ｆａ，Ｆｂ，Ｆｃ，Ｆｃ１，Ｆｃ２  フランジ
Ｇ  連結部材吸収溝
Ｈ  マンホール
Ｈａ′  非連通ボルト穴
Ｈａ，Ｈｂ，Ｈｂ′，Ｈｃ  ボルト孔
Ｍ  作業員
ＯＣ  海洋
Ｑ１１，Ｑ１２、Ｑ２１，Ｑ２２  開口部
Ｓ  作業用の空間
ＵＢ  Ｕ字ボルト
【図１】
0003844990.tif 000002
【図２】
0003844990.tif 000003
【図３】
0003844990.tif 000004
【図４】
0003844990.tif 000005
【図５】
0003844990.tif 000006
【図６】
0003844990.tif 000007
【図７】
0003844990.tif 000008
【図８】
0003844990.tif 000009
【図９】
0003844990.tif 000010
【図１０】
0003844990.tif 000011